(57)【要約】【課題】分解・組立作業を容易に行うことができ、かつ、高温高圧蒸気滅菌を施した場合でも、良好な気密性（液密性）を維持し得る信頼性の高い内視鏡、およびかかる内視鏡を容易に製造し得る内視鏡の製造方法を提供すること。【解決手段】本発明の内視鏡は、術者が把持して内視鏡全体を操作する操作部３を有している。操作部３は、操作部本体３７と、この操作部本体３７に設けられ、内視鏡内に配設された吸引チャンネルの流路を開閉するための吸引ボタン１０と、操作部本体３７に設けられた窓部３８と、この窓部３８を覆うように設けられた蓋体３９とを有している。また、蓋体３９は、その縁部に固着した封止部材３９１を有しており、封止部材３９１は、窓部３８に設けられた段差部３８２に密接している。これにより、窓部３８と蓋体３９との間が気密的（液密的）に封止されている。【選択図】図８
2007330393.tif 000002
【特許請求の範囲】
【請求項１】
内視鏡を構成する複数の内視鏡部品同士が、封止部材を介して気密的に接続されて構成され、高温高圧蒸気滅菌に供されたときに内部の気密を維持し得る内視鏡であって、
前記封止部材は、前記複数の内視鏡部品のうちの一方に固着されていることを特徴とする内視鏡。
【請求項２】
前記封止部材は、弾性材料の成形体で構成されている請求項１に記載の内視鏡。
【請求項３】
前記弾性材料は、フッ素ゴムおよびシリコーンゴムの少なくとも一方を主成分とするものである請求項２に記載の内視鏡。
【請求項４】
前記封止部材は、熱硬化性樹脂材料の発泡体で構成されている請求項１に記載の内視鏡。
【請求項５】
前記熱硬化性樹脂材料は、ポリウレタンを主成分とするものである請求項４に記載の内視鏡。
【請求項６】
前記発泡体が内包する複数の空孔は、互いに独立している請求項４または５に記載の内視鏡。
【請求項７】
前記封止部材は、該封止部材を構成する封止部材組成物の未硬化物を、前記一方の内視鏡部品に供給するとともに成形して成形体を得、該成形体を硬化してなるものである請求項２ないし６のいずれかに記載の内視鏡。
【請求項８】
前記成形体の硬化は、熱処理によりなされる請求項７に記載の内視鏡。
【請求項９】
前記一方の内視鏡部材は、その少なくとも前記封止部材が固着する領域に、前記封止部材の固着力を向上させる下地処理を施されたものである請求項１ないし８のいずれかに記載の内視鏡。
【請求項１０】
前記複数の内視鏡部品のうちの他方は、前記一方の内視鏡部品に対して相対的に変位するよう構成されており、
前記封止部材は、前記他方の内視鏡部品と摺接する請求項１ないし９のいずれかに記載の内視鏡。
【請求項１１】
内視鏡を構成する複数の内視鏡部品同士が、封止部材を介して気密的に接続されて構成され、高温高圧蒸気滅菌に供されたときに内部の気密を維持し得る内視鏡を製造する方法であって、
前記封止部材を構成する封止部材組成物の未硬化物を、前記複数の内視鏡部品のうちの一方に、環状に供給して成形体を得る第１の工程と、
該成形体を硬化させ、前記一方の内視鏡部品に固着した前記封止部材を得る第２の工程と、
前記一方の内視鏡部品に対して、前記封止部材に密接するように前記複数の内視鏡部品のうちの他方を接続する第３の工程とを有することを特徴とする内視鏡の製造方法。
【請求項１２】
前記封止部材組成物の未硬化物は、互いに独立した複数の空孔を内包したものである請求項１１に記載の内視鏡の製造方法。
【発明の詳細な説明】
【技術分野】
【０００１】
本発明は、内視鏡および内視鏡の製造方法に関するものである。
【背景技術】
【０００２】
近年、医療の分野で、検査や診断に内視鏡が使用されている。
内視鏡検査では、内視鏡の挿入部を、例えば、胃、十二指腸、小腸あるいは大腸といった体腔の深部まで挿入する必要がある。
【０００３】
ところで、医療用の内視鏡は、体腔内に挿入して使用された際に、生体組織、血液、病原菌等によって汚染される。このため、検査・処理終了後、内視鏡には、洗浄、消毒、滅菌処理等が施される。この内視鏡の滅菌処理には、高温高圧蒸気滅菌等が考えられる。
【０００４】
このような医療用の内視鏡は、曲がった体腔内に挿入され、これに体腔内の形状に追従できるよう、可撓性を有する可撓管（内視鏡用可撓管）を備えている。そして、この可撓管の内部には、内視鏡の各種機能を担う種々の部品が設けられている。例えば、挿入部の先端側には、体腔内を撮像する撮像素子や、体腔内に配光するライトガイド等が設けられており、体腔内を適切に撮像し得るようになっている。これらの部品は、水分や体液に曝されると故障するおそれがあるため、各部品に水分等が接触して内視鏡の機能が損なわれることのないよう、可撓管には十分な気密性（液密性）が要求される。
【０００５】
かかる背景から、内視鏡の押圧動作や回転動作等の動作を伴う可動部においては、Ｏリング（パッキン）等を用いて液密性の確保が図られている（例えば、特許文献１参照）。
【０００６】
このＯリングは、一般に、部品に設けられた溝に嵌め込まれている。ところが、洗浄等を行うために内視鏡を分解した際、この溝からＯリングが外れてしまい、再び取り付けるために多大な手間を要するという問題が生じる。かかる問題は、特に、細い管状または柱状の部材の外周部に設けた溝にＯリングを嵌め込む場合において、特に顕著な問題である。
【０００７】
また、気密性（液密性）を確保するため、部材に対して、表面粗さが小さい、すなわち平滑性の高い溝を加工する必要があり、これが部材の設計上の制約となっている。
【０００８】
さらに、可動部の動作に伴い、Ｏリングがねじれて、溝とＯリングとの間に隙間が生じ易い。このような状態の内視鏡が高温高圧蒸気滅菌に供された場合、この隙間を介して、可撓管の内部に水分が浸入するおそれがある。
【０００９】
【特許文献１】特開平７−１８４８２７号公報
【発明の開示】
【発明が解決しようとする課題】
【００１０】
本発明の目的は、分解・組立作業を容易に行うことができ、かつ、高温高圧蒸気滅菌を施した場合でも、良好な気密性（液密性）を維持し得る信頼性の高い内視鏡、およびかかる内視鏡を容易に製造し得る内視鏡の製造方法を提供することにある。
【課題を解決するための手段】
【００１１】
このような目的は、下記（１）〜（１２）の本発明により達成される。
（１）  内視鏡を構成する複数の内視鏡部品同士が、封止部材を介して気密的に接続されて構成され、高温高圧蒸気滅菌に供されたときに内部の気密を維持し得る内視鏡であって、
前記封止部材は、前記複数の内視鏡部品のうちの一方に固着されていることを特徴とする。
【００１２】
これにより、分解・組立作業を容易に行うことができ、かつ、高温高圧蒸気滅菌を施した場合でも、良好な気密性（液密性）を維持し得る信頼性の高い内視鏡が得られる。
【００１３】
（２）  前記封止部材は、弾性材料の成形体で構成されている上記（１）に記載の内視鏡。
【００１４】
これにより、封止部材は、その密接している部材の接触面の形状に対する追従性に優れたものとなる。したがって、特に気密性（液密性）に優れた内視鏡が得られる。
【００１５】
（３）  前記弾性材料は、フッ素ゴムおよびシリコーンゴムの少なくとも一方を主成分とするものである上記（２）に記載の内視鏡。
【００１６】
これらの弾性材料は、耐熱性および耐候性に特に優れているため、高温高圧蒸気滅菌処理に繰り返し曝されても、十分な弾性を維持する。したがって、このような弾性材料で構成された封止部材を備えた内視鏡は、高温高圧蒸気滅菌処理に対して、特に信頼性の高いものとなる。
【００１７】
（４）  前記封止部材は、熱硬化性樹脂材料の発泡体で構成されている上記（１）に記載の内視鏡。
【００１８】
これにより、封止部材は、熱硬化性樹脂に由来した特性、すなわち比較的耐熱性および耐薬品性に優れたものである。このため、高温高圧蒸気滅菌処理に繰り返し曝されても、封止部材が変質・劣化するのを確実に防止することができる。また、このような封止部材は、発泡体が内包する空孔が収縮・復元を繰り返すことにより、発泡体全体に弾力性を示すこととなり、特に弾性に富んだものとなる。このため、封止部材は、密接している内視鏡部品の接触面の形状に対する追従性に優れたものとなる。これにより、特に気密性（液密性）に優れた内視鏡が得られる。
【００１９】
（５）  前記熱硬化性樹脂材料は、ポリウレタンを主成分とするものである上記（４）に記載の内視鏡。
【００２０】
ポリウレタンは、発泡体を形成した際に、熱硬化性樹脂材料の中でも優れた弾力性を示す。このため、封止部材は、密接している内視鏡部品の接触面の形状に対する追従性に特に優れたものとなり、これにより、気密性（液密性）に特に優れた内視鏡が得られる。
【００２１】
（６）  前記発泡体が内包する複数の空孔は、互いに独立している上記（４）または（５）に記載の内視鏡。
【００２２】
これにより、封止部材に圧縮力を付与した際に、空孔中の気体を閉じ込め、気体が封止部材の外部に放出されるのを防止する。このため、圧縮され収縮した状態の封止部材から前記圧縮力を取り除くと、空孔が元の体積に確実に戻る（復元する）ことができる。その結果、封止部材も圧縮前の体積に回復することとなり、特に優れた弾力性を得ることができる。
【００２３】
（７）  前記封止部材は、該封止部材を構成する封止部材組成物の未硬化物を、前記一方の内視鏡部品に供給するとともに成形して成形体を得、該成形体を硬化してなるものである上記（２）ないし（６）のいずれかに記載の内視鏡。
【００２４】
これにより、複雑な形状をなす内視鏡部品に対しても、封止部材を容易に固着させることができる。
【００２５】
（８）  前記成形体の硬化は、熱処理によりなされる上記（７）に記載の内視鏡。
これにより、簡易な設備で効率よく硬化処理を行うことができる。
【００２６】
（９）  前記一方の内視鏡部材は、その少なくとも前記封止部材が固着する領域に、前記封止部材の固着力を向上させる下地処理を施されたものである上記（１）ないし（８）のいずれかに記載の内視鏡。
【００２７】
これにより、内視鏡部品と封止部材との固着力が増大し、内視鏡部品から封止部材が脱落するのをより確実に防止することができる。
【００２８】
（１０）  前記複数の内視鏡部品のうちの他方は、前記一方の内視鏡部品に対して相対的に変位するよう構成されており、
前記封止部材は、前記他方の内視鏡部品と摺接する上記（１）ないし（９）のいずれかに記載の内視鏡。
【００２９】
これにより、一方の内視鏡部品に対して他方の内視鏡部品が相対的に変位して、封止部材に過度の荷重が加わった場合でも、一方の内視鏡部品から封止部材が浮き上がったり、隙間が生じたりするのを確実に防止して、内視鏡の気密性（液密性）を確実に維持することができる。
【００３０】
（１１）  内視鏡を構成する複数の内視鏡部品同士が、封止部材を介して気密的に接続されて構成され、高温高圧蒸気滅菌に供されたときに内部の気密を維持し得る内視鏡を製造する方法であって、
前記封止部材を構成する封止部材組成物の未硬化物を、前記複数の内視鏡部品のうちの一方に、環状に供給して成形体を得る第１の工程と、
該成形体を硬化させ、前記一方の内視鏡部品に固着した前記封止部材を得る第２の工程と、
前記一方の内視鏡部品に対して、前記封止部材に密接するように前記複数の内視鏡部品のうちの他方を接続する第３の工程とを有することを特徴とする内視鏡の製造方法。
これにより、信頼性の高い内視鏡を容易に製造することができる。
【００３１】
（１２）  前記封止部材組成物の未硬化物は、互いに独立した複数の空孔を内包したものである上記（１１）に記載の内視鏡の製造方法。
これにより、互いに独立した空孔を内包した発泡体を確実に得ることができる。
【発明の効果】
【００３２】
本発明によれば、内視鏡部品と封止部材とが固着しているので、内視鏡を分解して洗浄等する場合、内視鏡部品から封止部材が脱落するのを防止することができる。このため、再び内視鏡を組み立てる際に、内視鏡部品に封止部材を取り付ける手間を省略することができ、洗浄作業を容易に行い得る内視鏡が得られる。
【００３３】
また、内視鏡部品と封止部材とが固着しているので、これらが密接しつつ摺動する場合、潤滑性によらず、内視鏡部品と封止部材との間に隙間が生じ難い。したがって、内視鏡に対して高温高圧蒸気滅菌処理を施した場合でも、内視鏡の気密性（液密性）を確実に維持することができる。すなわち、高温高圧蒸気滅菌処理に対して十分な耐久性を有する内視鏡が得られる。
【発明を実施するための最良の形態】
【００３４】
以下、本発明の内視鏡を添付図面に示す好適実施形態に基づいて詳細に説明する。
＜第１実施形態＞
まず、本発明の内視鏡の第１実施形態について説明する。
【００３５】
図１は、本発明の内視鏡の第１実施形態を示す全体図、図２は、図１に示す内視鏡における全体配管を示す概略図、図３は、図２に示す内視鏡が備える接眼部の構成を示す縦断面図、図４は、図１に示す内視鏡が備える操作ノブの構成を示す縦断面図、図５は、図１に示す内視鏡が備える吸引ボタンの待機状態（第１の状態）を示す縦断面図、図６は、図１に示す内視鏡が備える吸引ボタンの操作状態（第２の状態）を示す縦断面図である。なお、以下では、図１〜図３、図５および図６中の下側を「先端」、上側を「基端」として説明する。また、図４では、図が煩雑になるのを避けるため、一部断面を示す斜線を省略して示す。
【００３６】
図１に示す内視鏡（ファイバースコープ）１は、可撓性を有する長尺の可撓管部２１と可撓管部２１の先端側に設けられた湾曲部２２とを備える挿入部可撓管２と、挿入部可撓管２の基端側に設けられ、術者が把持して内視鏡１全体を操作する操作部３と、該操作部３の基端側に設けられ、被写体の像を直接観察する接眼部４と、光源装置（図示せず）に着脱可能に装着される差込部６と、操作部３と差込部６とを接続する可撓性を有する長尺の接続部可撓管５とを備えている。以下、各部の構成について説明する。
【００３７】
これらの各部のうち、挿入部可撓管２は、生体等の管腔内に挿入される挿入部を構成するものである。挿入部可撓管２の内部（中空部）には、例えば、光ファイバー、電線ケーブル、ワイヤー（いずれも図示せず）や、図２に示す吸引チャンネル７を構成するチューブ類等の内蔵物が配置、挿通されている。
【００３８】
可撓管部２１と接続部可撓管５とは、それぞれ、中空部を有する（管状の）芯材の外周を外皮で被覆した内視鏡用可撓管で構成されている。内視鏡用可撓管等の外皮は、例えば各種ゴム材料等の弾性材料や合成樹脂材料等で構成されている。
【００３９】
湾曲部２２は、通常、互いに回動自在に連結された複数（多数）の節輪と、該節輪の外周に被覆された網状管と、該網状管の外周に被覆された外皮とで構成されており、湾曲可能になっている。この湾曲部２２の外皮（湾曲ゴム）は、例えば各種ゴム材料等の柔軟な弾性材料で構成されている。
【００４０】
差込部６は、ほぼ有底筒状をなす基部６１と、該基部６１の底部から先端側に延びるように設置された光源用コネクタ（差込軸）６２とを有している。内視鏡１の使用時には、この光源用コネクタ６２を光源装置に差し込むことにより、内視鏡１と光源装置とが光学的に接続される。
【００４１】
そして、光源装置に内蔵された光源から発せられた光は、光源用コネクタ６２内、基部６１内、接続部可撓管５内、操作部３内、挿入部可撓管２内に連続して配設された光ファイバー束によるライトガイド（図示せず）を通り、挿入部可撓管２の先端部より観察部位に照射され、照明する。
【００４２】
前記照明光により照明された観察部位からの反射光（被写体像）は、挿入部可撓管２内および操作部３内に連続して配設された光ファイバー束によるイメージガイド（図示せず）を通り、接眼部４へ伝達される。
【００４３】
図３に示すように、接眼部４の内部には、その中央部にイメージガイドの基端部４１が設置されている。この基端部４１の基端側（図３中、上側）には、接眼レンズ４２ａおよび４２ｂが設けられ、これらがほぼ円筒状の接眼枠４ａの内腔部に所定位置で固定されている。
【００４４】
この接眼枠４ａは、先端方向および基端方向に移動可能に接眼筒４ｂに支持され、この接眼筒４ｂの先端部が操作部３に固定されている。
【００４５】
また、接眼筒４ｂの先端部外周には、被せ環４ｄが固定され、接眼筒４ｂと被せ環４ｄとの間に、視度環４ｃがイメージガイドの基端部４１を中心に回転可能に設けられている。
【００４６】
前述した反射光は、イメージガイド内を通り、基端部４１まで到達し、接眼レンズ４２ａおよび４２ｂを通して観察される。この際、視度環４ｃを回転操作することにより、イメージガイドの基端部４１と接眼レンズ４２ａおよび４２ｂとの距離を調整し、焦点位置を調整できるようになっている。
【００４７】
このような接眼部４を構成する内視鏡部品のうち、接眼枠４ａが接眼筒４ｂに摺接（密接しつつ摺動）し、視度環４ｃが接眼筒４ｂおよび被せ環４ｄに摺接しており、これらの可動部品同士の間には、それぞれ、封止部材４３が設けられている。
【００４８】
すなわち、本実施形態では、この封止部材４３が、一方の可動部品に固着し、他方の可動部品と摺接（密接）している。これにより、これらの可動部品同士の間が気密的（液密的）に封止されている。
【００４９】
また、図１に示すように、操作部３には、その側面に、湾曲部２２を遠隔操作して湾曲させるための操作機構３０や、内視鏡１内に配設された吸引チャンネル７の流路を開閉するための吸引ボタン１０等が設置されている。
【００５０】
図４に示すように、操作機構３０は、操作部３に固定された軸体３５と、この軸体３５を中心に、いずれも回転可能に設けられた操作ノブ３１、３２およびロックレバー３３、３４とで構成されている。
【００５１】
操作ノブ３１、３２を回転操作することにより、挿入部可撓管２内に配設されたワイヤー（図示せず）が牽引されて、湾曲部２２が４方向に湾曲し、その方向を変えることができる。
【００５２】
また、ロックレバー３３、３４を反時計回りに回転操作することにより、湾曲部２２を所望の湾曲状態で固定することができ、一方、この状態から時計回りに回転操作することにより、湾曲状態で固定された湾曲部２２の固定を解除することができるようになっている。
【００５３】
このような操作機構３０を構成する内視鏡部品のうち、ロックレバー３３が操作ノブ３１に摺接し、操作ノブ３１が操作ノブ３２に摺接し、操作ノブ３２がロックレバー３４に摺接しており、これらの部品同士の間には、それぞれ、封止部材３６が設けられている。
【００５４】
すなわち、本実施形態では、この封止部材３６が、一方の可動部品に固着し、他方の可動部品と摺接（密接）している。これにより、これらの可動部品同士の間が気密的（液密的）に封止されている。
【００５５】
吸引ボタン１０は、図２に示すように吸引チャンネル７の途中に設けられ、この流路を開閉し得るよう構成されている。
【００５６】
吸引チャンネル７は、その先端側から、チャンネルチューブ５１、連通管１７ａ、シリンダ１２、吸引接続管１４ａおよび外部吸引チューブ５０とを備えている。
【００５７】
吸引ボタン１０は、図５および図６に示すように、内腔部１２０を備えるシリンダ１２と、このシリンダ１２の内腔部１２０内に軸線方向に沿って進退自在に設けられたピストン２０と、ピストン２０を外方に付勢する戻しバネ２５と、操作部３外に突出するピストン２０の端部に取り付けられた押圧部１１とを有している。
【００５８】
そして、吸引ボタン１０の押圧部１１を押圧することにより、ピストン２０の押し込み操作を行うことができる。
【００５９】
また、シリンダ１２の側面には、吸引口１４が開口している。この吸引口１４には、吸引接続管１４ａの一端側が接続され、内腔部１２０に連通している。一方、吸引接続管１４ａの他端側には、外部吸引装置（図示せず）に連通する外部吸引チューブ５０の一端側が接続されている。
【００６０】
また、シリンダ１２の底部には、共通口１７が開口しており、この共通口１７には、連通管１７ａの一端側が接続され、内腔部１２０に連通している。一方、連通管１７ａの他端側は、チャンネルチューブ５１の基端近傍に接続され、このチャンネルチューブ５１の先端は、挿入部可撓管２の先端で開放している。
【００６１】
ピストン２０の外周側には、シリンダ１２からの突出部を囲むように、ピストン受け筒２７が設けられている。また、ピストン２０のシリンダ１２と反対側の端部には、押圧部１１の取り付け座２４が螺合により連結されている。
【００６２】
この取り付け座２４とピストン受け筒２７の底面との間に、圧縮コイルスプリングで構成された戻しバネ２５が圧縮状態で配置されている。
【００６３】
このようにして、ピストン２０と押圧部１１とが一体化され、戻しバネ２５により常に外方（シリンダ１２の口部から突出する方向）に付勢された状態になっている。
【００６４】
ピストン２０には、そのシリンダ１２側に、Ｌ字状をなす貫通孔２６が形成されている。この貫通孔２６は、ピストン２０の底面と側面とにそれぞれ開口しており、ピストン２０が図５に示す第１の位置にあるとき、吸引接続管１４ａと連通管１７ａとの連通を許容しない状態（以下、「待機状態」と言う。）となり、図６に示す第２の位置にあるとき、吸引接続管１４ａと連通管１７ａとが貫通孔２６を介して連通する状態（以下、「操作状態」と言う。）となる。
【００６５】
内視鏡１の使用時には、外部吸引チューブ５０の他端側には、吸引手段が接続され、吸引チャンネルが連通した状態では、挿入部可撓管２の先端から体腔内の体液や血液等を吸引することができる。
【００６６】
このような吸引ボタン１０を構成する内視鏡部品のうち、ピストン２０がシリンダ１２に摺接しており、これらの可動部品同士の間には、それぞれ、封止部材２８が設けられている。
【００６７】
すなわち、本実施形態では、この封止部材２８が、一方の可動部品に固着し、他方の可動部品と摺接（密接）している。これにより、これらの可動部品同士の間が気密的（液密的）に封止されている。
【００６８】
このような各封止部材２８、３６、４３の他にも、封止部材を用いて気密性（液密性）を保持した部分は、内視鏡１の各部に適用されている。
【００６９】
次に、図５および図６に示す吸引ボタン１０を一例に、この封止部材２８について詳述する。
【００７０】
封止部材２８は、前述したように、ピストン２０の下端部の外面（外周面）に固着して設けられており、シリンダ１２の内面（内周面）に密接し、押圧部１１の押圧操作に伴って、シリンダ１２の内面に摺接しつつ移動する（相対的に変位する）。これにより、内視鏡１の内部の気密性（液密性）を保持している。
【００７１】
このような封止部材２８は、弾性材料の成形体で構成されているのが好ましい。封止部材２８が弾性材料で構成されていると、封止部材２８は、その密接している内視鏡部品の接触面の形状に対する追従性に優れたものとなる。したがって、特に気密性（液密性）に優れた内視鏡１が得られる。
【００７２】
封止部材２８を構成する弾性材料としては、例えば、フッ素ゴム、シリコーンゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、クロロスルフォン化ポリエチレン、多硫化ゴム、ウレタンゴム、天然ゴムのような各種ゴム材料のうちの１種または２種以上を組み合わせて用いることができる。
【００７３】
この中でも、封止部材２８を構成する弾性材料は、フッ素ゴムおよびシリコーンゴムの少なくとも一方を主成分とするものが好ましい。これらの弾性材料は、前述のような特性に加え、耐熱性および耐候性に特に優れているため、高温高圧蒸気滅菌処理に繰り返し曝されても、十分な弾性を維持する。したがって、このような弾性材料で構成された封止部材２８を備えた内視鏡１は、高温高圧蒸気滅菌処理に対して、特に信頼性の高いものとなる。
【００７４】
また、封止部材２８を構成する材料としては、例えば、ウレタン系、エポキシ系、フェノール系、尿素系、メラミン系、不飽和ポリエステル系、ケトン系等の各種熱硬化性樹脂材料の発泡体、または、ポリオレフィン、ポリカーボネート、アイオノマー等の各種熱可塑性樹脂材料（または熱可塑性エラストマー）の発泡体等も用いることができる。
【００７５】
このうち、封止部材２８の構成材料は、熱硬化性樹脂材料の発泡体で構成されているのが好ましい。封止部材２８は、熱硬化性樹脂に由来した特性、すなわち比較的耐熱性および耐薬品性に優れたものである。このため、高温高圧蒸気滅菌処理に繰り返し曝されても、封止部材２８が変質・劣化するのを確実に防止することができる。したがって、このような封止部材２８は、高温高圧蒸気滅菌処理に対する十分な耐久性を備えたものとなる。
【００７６】
また、このような封止部材２８は、発泡体が内包する空孔が収縮・復元を繰り返すことにより、発泡体全体に弾力性を示すこととなり、特に弾性に富んだものとなる。このため、封止部材２８は、前述の弾性材料で構成された封止部材２８と同様に、密接している内視鏡部品の接触面の形状に対する追従性に優れたものとなる。これにより、特に気密性（液密性）に優れた内視鏡１が得られる。
【００７７】
さらに、熱硬化性樹脂材料は、加熱により容易に硬化するので、発泡体を容易に得ることが可能となる。
【００７８】
この中でも、封止部材２８を構成する熱硬化性樹脂材料は、ポリウレタンを主成分とするものが好ましい。ポリウレタンは、発泡体を形成した際に、各種熱硬化性樹脂材料の中でも優れた弾力性を示す。このため、封止部材２８は、密接している内視鏡部品の接触面の形状に対する追従性に特に優れたものとなり、これにより、気密性（液密性）に特に優れた内視鏡１が得られる。
【００７９】
また、封止部材２８の発泡体が内包する空孔同士は、互いに独立しているのが好ましい。これにより、封止部材２８に圧縮力を付与した際に、空孔中の気体を閉じ込め、気体が封止部材２８の外部に放出されるのを防止する。このため、圧縮され収縮した状態の封止部材２８から前記圧縮力を取り除くと、空孔が元の体積に確実に戻る（復元する）ことができる。その結果、封止部材２８も圧縮前の体積に回復することとなり、特に優れた弾力性を得ることができる。
【００８０】
ここで、従来、このような可動部品同士の間を封止する手段としては、一方の部品に設けられた溝に、Ｏリングを嵌め込み、このＯリングに他方の部品を密接させる構成が用いられていた。
【００８１】
ところで、内視鏡を洗浄する場合、このような可動部品を分解して洗浄するが、この際に、溝からＯリングが外れてしまい、再び組み立てる際にＯリングを溝に嵌め込む手間を要するという問題があった。１つの内視鏡には、Ｏリングが多数使用されているため、このような手間は膨大であった。
【００８２】
また、Ｏリングと溝との間の気密性（液密性）は、Ｏリングと溝との間の密着性によって左右されるため、溝の内側の加工精度が非常に重要となる。すなわち、表面粗さが小さく、平滑性の高い溝を設ける必要があるため、可動部品は、このような高精度の加工が可能な形状である必要がある。このため、可動部品の設計に、前述のような制約を設けることとなり、設計の自由度が低下するという問題があった。
【００８３】
さらに、Ｏリングと可動部品との間の潤滑性によっては、可動部品が動作した際に、Ｏリングがねじれて、Ｏリングと溝との間に隙間が生じ易い。このため、内視鏡に対して高温高圧蒸気滅菌を施した場合、この隙間を介して、可撓管の内部に水分が浸入するおそれがあった。それとともに、Ｏリングのねじれ等によって、Ｏリングが変質・劣化するおそれがあった。
【００８４】
これに対し、本発明では、前述したように、封止部材２８がピストン２０の下端部の外面（外周面）に固着して設けられている。
【００８５】
このように、封止部材２８がピストン２０に固定されていることにより、内視鏡を分解した際に、ピストン２０に設けられた溝から封止部材２８が脱落するのを確実に防止することができる。これにより、脱落した封止部材をピストンの溝に嵌め込む手間を省略することができ、内視鏡の組み立て作業を簡略化することができる。
【００８６】
また、封止部材２８とピストン２０とが固着しているため、従来のように封止部材を嵌め込む溝を形成する必要がない。このため、ピストン２０の設計の制約が減少し、設計の自由度がより高くなる。
【００８７】
さらに、封止部材２８とピストン２０とが固着していると、封止部材２８とピストン２０との間の摺接する部分の気密性（液密性）が確実に保持される。このため、押圧部１１の押圧操作に伴ってピストン２０が移動しても、ピストン２０の外周面から封止部材２８が浮き上がったり、隙間が生じたりするおそれが極めて小さくなる。したがって、このような内視鏡は、高温高圧蒸気滅菌に対しても、十分な耐久性および信頼性を有するものとなる。
【００８８】
また、封止部材２８の変質・劣化を抑制することができるので、封止部材２８の長寿命化とそれに伴う低コスト化を図ることができる。
【００８９】
次に、このような内視鏡１を製造する方法（本発明の内視鏡の製造方法）について説明する。
【００９０】
まず、内視鏡を構成する複数の内視鏡部品を用意する。なお、以下では、内視鏡部品の一例として、ピストン２０を代表に説明する。
【００９１】
次に、封止部材２８を構成する封止部材組成物の未硬化物を、ピストン２０の下端部の外周面に沿って環状に供給して成形体を得る（第１の工程）。
【００９２】
この第１の工程は、以下のようにして行われる。
まず、封止部材２８を構成する封止部材組成物の未硬化物、すなわち、熱硬化性樹脂材料の未硬化物または弾性材料の未硬化物を用意する。
【００９３】
熱硬化性樹脂材料の未硬化物は、後述する硬化処理により硬化して、熱硬化性樹脂材料に変化する性質を有するものである。
【００９４】
例えば、熱硬化性樹脂材料がポリウレタンである場合、その未硬化物としては、ポリオール系化合物とポリイソシアネート系化合物の混合物が挙げられる。
【００９５】
このうち、ポリオール系化合物としては、例えば、エチレングリコール、プロピレングリコール、グリセリン、トリメチロールプロパン、ペンタエリスリトール、ソルビトール、ショ糖のような多価アルコールに、エチレンオキサイド、プロピレンオキサイドのようなアルキレンオキサイドを付加重合させたポリエーテルポリオール類、エチレングリコール、プロピレングリコールのようなオリゴグリコール類、ブチレングリコール、ヘキシレングリコール、ポリテトラメチレンエーテルグリコールのようなグリコール類、ポリカプロラクトンポリオール、ヒマシ油のようなヒドロキシル基含有高級脂肪酸エステル類、ポリエーテルポリオールまたはポリエステル類にビニルモノマーをグラフト反応させたポリマーポリオール等が挙げられ、これらのうちの１種または２種以上を組み合わせて用いることができる。
【００９６】
また、ポリイソシアネート化合物としては、トリレンジイソシアネート（ＴＤＩ）、ジフェニルメタンジイソシアネート、３，３’−ジメチル−４，４’−ビフェニレンジイソシアネート、１，４−フェニレンジイソシアネート、キシリレンジイソシアネート、テトラメチルキシリレンジイソシアネート、１，５−ナフチレンジイソシアネート、ジシクロヘキシルメタン−４，４’−ジイソシアネート、粗製ＴＤＩ、ポリメチレン・ポリフェニルイソシアネート、イソホロンジイソシアネート、ノルボルナンジイソシアネート、ヘキサメチレンジイソシアネート、水素化キシリレンジイソシアネートのほか、これらのイソシアネート化物、カルボジイミド化物、ビューレット化物等が挙げられ、これらの１種または２種以上を組み合わせて用いることができる。
【００９７】
この未硬化物は、必要に応じて、硬化剤、触媒、発泡剤、可塑剤、紫外線吸収剤、老化防止剤、接着付与剤、脱水剤、発泡調整剤、粘度粘性調整剤、充填剤、着色剤等の各種添加物を含んでいてもよい。
【００９８】
このうち、硬化剤としては、例えば、融点５０℃以上で常時固形であるポリアミン系化合物が挙げられる。
【００９９】
かかるポリアミン系化合物としては、例えば、４，４’−ジアミノジフェニルメタン、２，４’−ジアミノジフェニルメタン、３，３’−ジアミノジフェニルメタン、３，４’−ジアミノジフェニルメタン、２，２’−ジアミノビフェニル、２，４’−ジアミノビフェニル、３，３’−ジアミノビフェニル、２，４−ジアミノフェノール、２，５−ジアミノフェノール、ｏ−フェニレンジアミン、ｍ−フェニレンジアミン、２，３−トリレンジアミン、２，４−トリレンジアミン、２，５−トリレンジアミン、２，６−トリレンジアミン、３，４−トリレンジアミンのような芳香族固形ポリアミン、１，１２−ドデカンジアミン、２，１０−デカンジアミン、１，８−オクタンジアミン、１，１４−テトラデカンジアミン、１，１６−ヘキサデカンジアミンのような脂肪族固形ポリアミン等が挙げられ、これらのうちの１種または２種以上を組み合わせて用いることができる。
【０１００】
また、触媒としては、例えば、ジブチル錫ジラウレートのような有機錫系触媒、オクチル酸ビスマスのようなビスマス系触媒、第三級アミン系触媒等が挙げられる。
【０１０１】
また、発泡剤としては、例えば、大気圧で気化する液体、常温で気化する液体、他の物質と反応してガスを発生させる物質等が挙げられる。
【０１０２】
具体的には、ジニトロソペンタメチレンテトラミン（ＤＰＴ）、アゾジカルボンアミド（ＡＤＣＡ）、ｐ，ｐ’−オキシビスベンゼンスルホニルヒドラジド（ＯＢＳＨ）、炭酸水素ナトリウム、ヒドラゾジカルボンアミド（ＨＤＣＡ）等が挙げられる。
【０１０３】
また、必要に応じて、これらの発泡剤とともに、ガスの発生を促進させる助剤を併用してもよい。かかる助剤としては、例えば、尿素系助剤等が挙げられる。
【０１０４】
また、可塑剤としては、例えば、ジブチルフタレート、ジオクチルフタレート、ジシクロヘキシルフタレート、ジイソオクチルフタレート、ジイソデシルフタレート、ジベンジルフタレート、トリオクチルホスフェート、各種エポキシ系可塑剤、アジピン酸エステルのようなポリエステル系可塑剤等が挙げられる。
【０１０５】
一方、弾性材料の未硬化物は、後述する硬化処理により硬化して、前述のような弾性材料に変化する性質を有するものである。
【０１０６】
この未硬化物は、必要に応じて、加硫剤、硬化剤、触媒、発泡剤、可塑剤、充填剤、着色剤等の添加物を含んでいてもよい。
【０１０７】
次に、未硬化物を、ピストン２０の外周面に供給する。これにより、未硬化物を封止部材２８の形状に成形した成形体が得られる。
【０１０８】
未硬化物の供給方法としては、特に限定されないが、例えば、ディスペンサー、チューブ等による射出、刷毛、ヘラ等による塗布等により行うことができる。
【０１０９】
この際、ピストン２０の封止部材２８を形成すべき領域に、溝が形成されていてもよい。これにより、未硬化物の供給位置を確実に制御することができ、目的とする位置に封止部材２８を確実に形成することができる。
【０１１０】
また、ピストン２０は、その外周面の少なくとも未硬化物を供給する領域、すなわち少なくとも封止部材２８を固着させる領域に、封止部材２８の固着力を向上させる下地処理を施されたものであるのが好ましい。これにより、ピストン２０と封止部材２８との固着力が増大し、ピストン２０から封止部材２８が脱落するのをより確実に防止することができる。
【０１１１】
また、例えば、押圧部１１の押圧操作に伴って封止部材２８に過度の荷重が加わった場合でも、ピストン２０の外周面から封止部材２８が浮き上がったり、隙間が生じたりするのを防止して、内視鏡１の気密性（液密性）を確実に維持することができる。すなわち、高温高圧蒸気滅菌処理に対して十分な耐久性を有する内視鏡１が得られる。
【０１１２】
このような下地処理としては、例えば、封止部材２８を固着させる領域に対する粗面化処理、下地層を形成する処理等が挙げられる。
【０１１３】
このうち、粗面化処理としては、例えば、アルカリ洗浄、酸洗浄、水洗、有機溶剤洗浄等の洗浄処理や、ブラスト処理（例えば、ショットブラスト、サンドブラスト等）、エッチング処理、ボンバード処理等が挙げられる。このような粗面化処理が施された領域に、未硬化物を供給すると、前記領域に形成された凹部に未硬化物が浸透する。その後、未硬化物が硬化して封止部材２８になると、封止部材２８とピストン２０との間には、アンカー効果に起因する強固な固着力が生じることとなる。
【０１１４】
一方、下地層を形成する処理としては、例えば、プライマーの付与、接着剤の付与等が挙げられる。例えば、封止部材２８を固着させる領域に、封止部材２８およびピストン２０の双方と強固に固着し得るプライマーを付与すると、このプライマー（下地層）を介して、封止部材２８とピストン２０とが強固に固定されることとなる。
【０１１５】
ここで、未硬化物が前述の発泡剤を含んでいる場合、後述の工程において、発泡剤の作用により、得られた成形体中に多数の空孔を内包することとなる。また、発泡剤を含んでいなくても、未硬化物に各種ガスを巻き込ませることにより、未硬化物中に多数の空孔を形成することができる。これらの方法により、後述する工程において、互いに独立した空孔を内包した発泡体を確実に得ることができる。
【０１１６】
次に、得られた成形体に対して硬化処理を施して、成形体を硬化させる。これにより、ピストン２０の外周面に封止部材２８を得る（第２の工程）。
【０１１７】
硬化処理としては、例えば、加熱、光照射、水分の付与、空気（大気）との接触の遮断等の方法が挙げられ、これらの中から、弾性材料の組成等に応じて適宜選択することができるが、特に、加熱による硬化処理が好ましい。これにより、簡易な設備で効率よく硬化処理を行うことができる。
【０１１８】
以上のような方法により、複雑な形状をなす内視鏡部品に対しても、封止部材を容易に固着させることができる。
【０１１９】
次に、封止部材２８が形成されたピストン２０をシリンダ１２に挿入（接続）するとともに、その他の内視鏡部品を組み立てる。これにより、図５に示す吸引ボタン１０を得るとともに、図１に示す内視鏡１を得る（第３の工程）。
【０１２０】
このようにして、高温高圧蒸気滅菌に供されたときに、内部の気密を確実に維持し得る内視鏡１を容易に得ることができる。
【０１２１】
＜第２実施形態＞
次に、本発明の内視鏡の第２実施形態について説明する。
【０１２２】
図７は、本発明の内視鏡の第２実施形態を示す全体図、図８は、図７に示す内視鏡が備える操作部の構成を示すＡ−Ａ線断面図、図９は、図７に示す内視鏡が備える操作部の蓋体が外された状態を示す側面図である。なお、以下では、図７中の下側を「先端」、上側を「基端」として説明する。
【０１２３】
以下、本発明の内視鏡の第２実施形態について説明するが、前記第１実施形態との相違点を中心に説明し、同様の事項については、その説明を省略する。
【０１２４】
本実施形態の内視鏡は、操作部と撮像手段の構成が異なる以外は、前記第１実施形態と同様である。
【０１２５】
図７に示す内視鏡１は、撮像素子によって画像を取得する電子内視鏡（電子スコープ）である。
この内視鏡１は、挿入部可撓管２と、操作部３と、接続部可撓管５とを備えている。
【０１２６】
挿入部可撓管２の先端部には、撮像素子（図示せず）が設けられている。この撮像素子には、挿入部可撓管２の長手方向に沿って配設された信号線（図示せず）が接続されている。
【０１２７】
また、前記第１実施形態の接眼部が省略されている。そして、差込部（図示せず）は、その内部に、画像信号を処理する信号処理回路（図示せず）を有し、差込部の先端部に、画像信号用コネクタ（図示せず）を備えている。
【０１２８】
操作部３は、図７に示すように吸引ボタン１０を有している。
また、本実施形態の操作部３は、図８に示すように、操作部本体３７と、この操作部本体３７に設けられた窓部３８と、この窓部３８を覆うように設けられた蓋体３９とを有している。
【０１２９】
蓋体３９は、その縁部に沿って設けられた封止部材３９１を有している。この封止部材３９１は、蓋体３９の縁部に固着しているとともに、窓部３８に密接している。これにより、窓部３８と蓋体３９との間が気密的（液密的）に封止されている。
【０１３０】
また、蓋体３９は、その縁部に凸部３９２を有しており、一方、窓部３８が凹部３８１を有している。この凸部３９２と凹部３８１とを嵌合させることにより、窓部３８に対して蓋体３９を確実に固定するとともに、窓部３８と蓋体３９との間に封止部材３９１を潰すように挟み付けることができる。これにより、窓部３８と蓋体３９との間の気密性（液密性）をより高めることができる。
【０１３１】
さらに、窓部３８は、図８および図９に示すように、封止部材３９１に密接する段差部３８２を有している。これにより、段差部３８２と封止部材３９１とが確実に密接することができ、前述の気密性（液密性）をさらに高めることができる。
【０１３２】
ところで、このような蓋体３９は、分解修理する際に、操作部本体３７から取り外される。
【０１３３】
本実施形態では、蓋体３９の縁部に封止部材３９１が固着しているため、蓋体３９を取り外したり、取り付けたりする際に、封止部材３９１に負荷がかかっても、蓋体３９から封止部材３９１が脱落するのを確実に防止することができる。これにより、脱落した封止部材３９１を再度取り付ける手間を省略することができ、内視鏡１の分解・組み立て作業を簡略化することができる。
【０１３４】
以上、本発明の内視鏡を図示の実施形態について説明したが、本発明は、これに限定されるものではない。
【０１３５】
例えば、本発明の内視鏡の各部は、同様の機能を発揮する任意の部材と置換することができ、また、任意の部材を追加することもできる。
【実施例】
【０１３６】
次に、本発明の具体的実施例について説明する。
１．内視鏡の製造
【０１３７】
（実施例１）
まず、図７に示すような内視鏡（ペンタックス社製軟性内視鏡ＦＢ−２９Ｘ）の構成部品を用意した。
【０１３８】
次に、封止部材の構成材料（ポリウレタン）の原材料として、数平均分子量２０００のポリエーテルポリオール（三洋化成工業（株）製、ＰＰ２０００）８０重量％と、ジフェニルメタンジイソシアネート２０重量％とを、温度８０℃で２時間混合して反応させ、ウレタンプレポリマーを得た。
【０１３９】
次に、得られたウレタンプレポリマー５０重量％と、１，１２−ドデカンジアミン（硬化剤）５重量％、炭酸カルシウム（充填剤）１５重量％、カーボン（着色剤）１０重量％、ジオクチルフタレート（可塑剤）２０重量％とを混合し、発泡原料を得た。
【０１４０】
次に、発泡原料に圧力を付与し、発泡原料中にガスを均一に分散させた。
次に、発泡原料を温度８０℃に加熱しつつ、図７に示す蓋体３９の縁部に向けて、発泡原料をノズルから供給した。これにより、発泡原料が熱硬化することにより、蓋体３９の縁部に沿って発泡原料が固着する。また、発泡原料中のガスが気泡を形成し、発泡体となる。これにより、蓋体３９の縁部に沿って、ポリウレタンの発泡体で構成された封止部材３９１が得られた。
【０１４１】
次に、その他の液密性が必要な部分に対しても、前述と同様にして、ポリウレタンで構成された封止部材を得た。
次に、得られた構成部品を用いて、内視鏡を組み立てた。
【０１４２】
（実施例２）
まず、シリコーンゴムコンパウンド（ＧＥ東芝シリコーン（株）製、ミラブル型シリコーンゴムＴＳＥ２１１−５Ｕ）１００重量部に対して、加硫剤（ＧＥ東芝シリコーン（株）製、ＴＣ−１）０．５重量部を混合し、ミキシングロールで混練して、混練物を得た。
【０１４３】
次に、得られた混練物を、図７に示す蓋体３９の縁部に供給するとともに、１２５℃×１５分、２５０℃×２４時間で加熱して硬化させ、封止部材３９１を得た。
【０１４４】
次に、その他の液密性が必要な部分に対しても、前述と同様にして、シリコーンゴムで構成された封止部材を得た。
次に、得られた構成部品を用いて、前記実施例１と同様にして内視鏡を得た。
【０１４５】
（実施例３）
まず、図７に示す蓋体３９の縁部に、下地処理としてプライマー（（株）横浜高分子研究所製、モニカスＶＴ−２００）を塗布した。
【０１４６】
次に、フッ素ゴムコンパウンド（デュポンエラストマー（株）製、バイトンＥ−６０Ｃ）をミキシングロールで混練して、混練物を得た。
【０１４７】
次に、得られた混練物を、蓋体３９の縁部に供給するとともに、１８０℃×５分、２４０℃×２４時間で加熱して硬化させ、封止部材３９１を得た。
【０１４８】
次に、その他の液密性が必要な部分に対しても、前述と同様にして、フッ素ゴムで構成された封止部材を得た。
次に、得られた構成部品を用いて、前記実施例１と同様にして内視鏡を得た。
【０１４９】
２．内視鏡の評価
次に、各内視鏡に対し、オートクレーブによる高温高圧蒸気滅菌処理を繰り返し行った。以下に、滅菌処理の条件を示す。
【０１５０】
・滅菌処理の条件
温度        ：１２０℃
時間        ：１０分
処理サイクル：３０００回
次に、滅菌処理後の内視鏡を、その内圧が０．０３ＭＰａになるよう加圧した状態で水中に沈め、内視鏡の液密構造が維持されているかを確認した。
【０１５１】
その結果、各実施例の内視鏡は、いずれも、オートクレーブによる滅菌処理を３０００回繰り返しても十分な液密性を維持していた。
【０１５２】
また、その内視鏡を分解したところ、内視鏡部品に対する封止部材の固着状態が維持されていることが確認された。
【図面の簡単な説明】
【０１５３】
【図１】本発明の内視鏡の第１実施形態を示す全体図である。
【図２】図１に示す内視鏡における全体配管を示す概略図である。
【図３】図２に示す内視鏡が備える接眼部の構成を示す縦断面図である。
【図４】図１に示す内視鏡が備える操作ノブの構成を示す縦断面図である。
【図５】図１に示す内視鏡が備える吸引ボタンの待機状態（第１の状態）を示す縦断面図である。
【図６】図１に示す内視鏡が備える吸引ボタンの操作状態（第２の状態）を示す縦断面図である。
【図７】本発明の内視鏡の第２実施形態を示す全体図である。
【図８】図７に示す内視鏡が備える操作部の構成を示すＡ−Ａ線断面図である。
【図９】図７に示す内視鏡が備える操作部の蓋体が外された状態を示す側面図である。
【符号の説明】
【０１５４】
１              内視鏡
２              挿入部可撓管
３              操作部
４              接眼部
４ａ            接眼枠
４ｂ            接眼筒
４ｃ            視度環
４ｄ            被せ環
５              接続部可撓管
６              差込部
７              吸引チャンネル
１０            吸引ボタン
１１            押圧部
１２            シリンダ
１２０          内腔部
１４            吸引口
１４ａ          吸引接続管
１７            共通口
１７ａ          連通管
２０            ピストン
２１            可撓管部
２２            湾曲部
２４            取り付け座
２５            戻しバネ
２６            貫通孔
２７            ピストン受け筒
２８            封止部材
３０            操作機構
３１、３２      操作ノブ
３３、３４      ロックレバー
３５            軸体
３６            封止部材
３７            操作部本体
３８            窓部
３８１          凹部
３８２          段差部
３９            蓋体
３９１          封止部材
３９２          凸部
４１            基端部
４２ａ、４２ｂ  接眼レンズ
４３            封止部材
５０            外部吸引チューブ
５１            チャンネルチューブ
６１            基部
６２            光源用コネクタ
【図１】
2007330393.tif 000003
【図２】
2007330393.tif 000004
【図３】
2007330393.tif 000005
【図４】
2007330393.tif 000006
【図５】
2007330393.tif 000007
【図６】
2007330393.tif 000008
【図７】
2007330393.tif 000009
【図８】
2007330393.tif 000010
【図９】
2007330393.tif 000011